(57)【要約】実施形態は無線通信ネットワークにおけるシームレスな周波数間ハンドオフに関して記載されている。アクティブセット管理プロトコルにおいて指定されるメッセージ内の少なくとも１つの周波数要素に対するセクタパイロット強度情報をアクセスネットワークに報告することを含む方法が提供される。少なくとも別の周波数要素に関する情報はアクティブセット管理プロトコル内で指定されるメッセージ中で受信される。この方法はさらに、１つの周波数要素から別の周波数要素にハンドオフするかどうかを確認することを含み、さらに少なくとも他の周波数要素にシームレスにハンドオフすることを含むことができる。
2009514454.tif 000002
【特許請求の範囲】
【請求項１】
無線ネットワークにおいてシームレスに周波数間ハンドオフする方法であって、
アクティブセット管理プロトコル内で指定されるメッセージ中の少なくとも１つの周波数要素に対するセクタパイロット強度情報をアクセスネットワークに報告することと、
前記アクティブセット管理プロトコル内で指定されるメッセージ中の少なくとも別の周波数要素に関する情報を受信することと、
少なくとも１つの周波数要素から前記少なくとも別の周波数要素にハンドオフするかどうかを確認することであって、両方の周波数要素は前記アクティブセットに含まれていることと、
前記少なくとも別の周波数要素にシームレスにハンドオフすることと、を備える方法。
【請求項２】
チャネル品質レベルが所定のしきい値を下回ると、前記少なくとも別の周波数要素にハンドオフすることをさらに備える、請求項１に記載の方法。
【請求項３】
前記少なくとも別の周波数要素に対するセクタパイロット強度情報を報告することは、一時的な調整を開始する時間を決定することをさらに備える、請求項１に記載の方法。
【請求項４】
前記調整はアクセスネットワークと関連する順方向リンクチャネルを監視することを中止することを備える、請求項３に記載の方法。
【請求項５】
前記調整は逆方向リンクを介する前記アクセスネットワークとの通信を中止することを備える、請求項３に記載の方法。
【請求項６】
前記少なくとも１つの周波数要素に対するセクタパイロット強度情報を報告することは、通信目的のための第１受信機と、セクタパイロット強度を報告するための第２受信機とを使用することをさらに備える、請求項１に記載の方法。
【請求項７】
前記セクタパイロット強度情報を報告するためにアクティブセット管理プロトコル内で指定される前記メッセージは、ＰｉｌｏｔＲｅｐｏｒｔメッセージである、請求項１に記載の方法。
【請求項８】
前記少なくとも１つの指定された周波数要素を受信するために前記アクティブセット管理プロトコル内で指定される前記メッセージは、ＡｃｔｉｖｅＳｅｔＡｓｓｉｇｎｍｅｎｔメッセージである、請求項１に記載の方法。
【請求項９】
アイドルセッションの間に、前記少なくとも１つの周波数要素にシームレスにハンドオフする、請求項１に記載の方法。
【請求項１０】
アクティブセッションの間に、前記少なくとも１つの周波数要素にシームレスにハンドオフする、請求項１に記載の方法。
【請求項１１】
連続した無線リンクが存在する場合、前記少なくとも１つの周波数要素から前記少なくとも別の周波数要素への周波数間ハンドオフが実行される、請求項１に記載の方法。
【請求項１２】
無線リンクにおいて中断が存在する場合、前記少なくとも１つの周波数要素から前記少なくとも別の周波数要素への周波数間ハンドオフが実行されない、請求項１に記載の方法。
【請求項１３】
無線チャネル状態に部分的に基づいて、無線デバイスをハンドオフするためにアクティブセットに含まれる周波数要素を選択するように構成されているプロセッサと、
前記プロセッサに結合されたメモリと、
を備える、無線通信デバイス。
【請求項１４】
前記プロセッサは、周波数間ハンドオフを促進する時間の決定に基づいて、通信を最適化する周波数オプティマイザに結合されている、請求項１３に記載の無線通信デバイス。
【請求項１５】
前記プロセッサはさらに、前記無線デバイスがインタフェースできるアクセスネットワークに対する周波数セクタパイロット強度を測定および報告するために、調整期間を決定するように構成されている、請求項１３に記載の無線通信デバイス。
【請求項１６】
前記プロセッサはさらに、前記無線デバイスのおおよその位置を決定するように構成されている、請求項１３に記載の無線通信デバイス。
【請求項１７】
通信を促進するための第１受信機と、前記無線デバイスが接続モードである間にパイロット強度を報告するための少なくとも第２受信機とをさらに備える、請求項１３に記載の無線通信デバイス。
【請求項１８】
無線通信環境においてシームレスに周波数間ハンドオフする装置であって
少なくとも１つのセクタに対してチャネル品質指標を報告する手段と、
ＰｉｌｏｔＲｅｐｏｒｔメッセージ中で他の周波数セクタパイロット強度を報告する手段と、
アクティブセットに含まれている少なくとも２つのセクタ間の周波数間ハンドオフをシームレスに実行する手段と、
を備える装置。
【請求項１９】
ＰｉｌｏｔＲｅｐｏｒｔメッセージ中で他の周波数セクタパイロット強度を報告する前記手段は、接続モードの間に一時的な調整を実行する手段をさらに備える、請求項１８に記載の装置。
【請求項２０】
ＰｉｌｏｔＲｅｐｏｒｔメッセージ中で他の周波数セクタパイロット強度を報告する前記手段は、接続モードの間にメッセージを受信する少なくとも２つの手段をさらに備える、請求項１８に記載の装置。
【請求項２１】
ＰｉｌｏｔＲｅｐｏｒｔメッセージ中で他の周波数セクタパイロット強度を報告する前記手段はさらに、オーバーヘッドメッセージプロトコル内で指定されたＳｅｃｔｏｒＰａｒａｍｅｔｅｒｓメッセージに応答する、請求項１８に記載の装置。
【請求項２２】
周波数間ハンドオフをシームレスに実行する前記手段はさらに、アクティブセット管理プロトコル内で指定されたＡｃｔｉｖｅＳｅｔＡｓｓｉｇｎｍｅｎｔメッセージを受信する、請求項１８に記載の装置。
【請求項２３】
コンピュータ実行可能命令を格納したコンピュータ可読媒体であって、この命令により、
第１周波数パイロットを有する第１アクセスネットワークからのＳｙｓｔｅｍＰａｒａｍｅｔｅｒメッセージを受信することと、
第２アクセスネットワークの第２周波数パイロットを測定する時間を計算することと、
ＡｔｔｒｉｂｕｔｅＵｐｄａｔｅＲｅｑｕｅｓｔメッセージを送信することと、
ＡｔｔｒｉｂｕｔｅＵｐｄａｔｅＡｃｃｅｐｔメッセージを受信することと、
調整を有効にすることと、
前記第２周波数パイロットの測定を開始するかどうか決定することと、
前記第２周波数パイロットを測定することと、
前記第２周波数パイロットに対するＰｉｌｏｔＲｅｐｏｒｔメッセージを送信することと、が実行される、コンピュータ可読媒体。
【請求項２４】
前記他の周波数パイロットを測定した後に、前記第１アクセスネットワークに戻るための命令をさらに備える、請求項２３に記載のコンピュータ可読媒体。
【請求項２５】
前記第２周波数パイロットを測定する前に、ＴｕｎｅＡｗａｙＣｏｎｔｒｏｌメッセージを送信することをさらに備える、請求項２３に記載のコンピュータ可読媒体。
【請求項２６】
無線通信環境においてシームレスに周波数間ハンドオフする命令を実行するプロセッサであり、前記命令は、
少なくとも１つのセクタにチャネルの品質指標を報告することと、
ＰｉｌｏｔＲｅｐｏｒｔメッセージ中で他の周波数セクタパイロット強度を報告することと、
周波数間ハンドオフをシームレスに実行することと、を備えるプロセッサ。
【請求項２７】
前記命令は、ＰｉｌｏｔＲｅｐｏｒｔメッセージ中で他の周波数セクタパイロット強度を報告することをさらに備え、
接続モードの間に一時的に調整する手段をさらに備える、請求項２６に記載のプロセッサ。
【請求項２８】
ＰｉｌｏｔＲｅｐｏｒｔメッセージ中で他の周波数セクタパイロット強度を報告することは、接続モードの間にメッセージを受信する少なくとも２つの手段をさらに備える、請求項２６に記載のプロセッサ。
【請求項２９】
ＰｉｌｏｔＲｅｐｏｒｔメッセージ中で他の周波数セクタパイロット強度を報告することはさらに、オーバーヘッドメッセージプロトコル内で指定されたＳｅｃｔｏｒＰａｒａｍｅｔｅｒｓメッセージに応答する、請求項２６に記載のプロセッサ。
【請求項３０】
周波数間ハンドオフをシームレスに実行することはさらに、アクティブセット管理プロトコル内で指定されたＡｃｔｉｖｅＳｅｔＡｓｓｉｇｎｍｅｎｔメッセージを受信する、請求項２６に記載のプロセッサ。
【請求項３１】
シームレスに周波数間ハンドオフする方法であって、
アクセス端末から調整期間に対する要求を受信することと、
前記アクセス端末に調整の許可メッセージを送信することと、
アクセス端末から、アクティブセット管理プロトコル内で指定されるメッセージ中の少なくとも１つの周波数要素に対するセクタパイロット強度情報を受信することと、
前記アクティブセット管理プロトコル内で指定されるメッセージ中の少なくとも別の周波数要素に関する情報を送信することと、
前記アクセス端末を、前記少なくとも別の周波数要素にシームレスにハンドオフ可能にすることと、
を備える方法。
【請求項３２】
前記調整は順方向リンクを介する前記アクセス端末への通信を中止することを備える、請求項３１に記載の方法。
【請求項３３】
前記調整は前記アクセス端末に関連する逆方向リンクチャネルの監視を中止終了することを備える、請求項３１に記載の方法。
【請求項３４】
アクティブセットに前記少なくとも別の周波数要素を追加することをさらに備える、請求項３１に記載の方法。
【請求項３５】
前記アクセス端末を、アイドルセッションの間に前記少なくとも別の周波数要素にシームレスにハンドオフ可能にする、請求項３１に記載の方法。
【請求項３６】
前記アクセス端末を、前記少なくとも別の周波数要素をシームレスにハンドオフ可能にすることは、アクティブセッションの間になされる、請求項３１に記載の方法。
【請求項３７】
連続した無線リンクが存在する場合、前記アクセス端末を前記少なくとも別の周波数要素にシームレスにハンドオフ可能にすることが実行される、請求項３１に記載の方法。
【請求項３８】
無線リンクにおいて中断が存在する場合、前記アクセス端末を前記少なくとも別の周波数要素にシームレスにハンドオフ可能にすることが実行されない、請求項３１に記載の方法。
【請求項３９】
無線通信システムにおいて周波数間ハンドオフを提供するアクセスネットワークであって、
モバイルデバイスから調整要求を受信する受信機と、
少なくとも２つのアクセスネットワークがアクティブセットに含まれていることを前記モバイルデバイスに通知する、ＡｃｔｉｖｅＳｅｔＡｓｓｉｇｎｍｅｎｔメッセージを送信する送信機と、
を備えるアクセスネットワーク。
【請求項４０】
前記送信機はさらに、前記第２アクセスネットワークが前記モバイルデバイスに利用できるリソースに応答するよう、少なくとも第２アクセスネットワークに要求する、請求項３９に記載のアクセスポイント。
【請求項４１】
前記受信機はさらに、少なくとも第２アクセスネットワークからリソース情報を受信する、請求項３９に記載のアクセスポイント。
【発明の詳細な説明】
【技術分野】
【０００１】
以下の説明は一般に無線通信、特に、無線通信ネットワークにおけるシームレスな周波数間ハンドオフに関する。
【背景技術】
【０００２】
無線ネットワーキングシステムは、多数の人々が世界中と通信する一般化した手段になっている。無線通信デバイスは、向上した携帯性および利便性を含む、消費者の要求に応えるためにより小さくより高性能になっている。ユーザは、携帯電話、携帯情報端末（ＰＤＡ）などといった無線通信デバイスに対して多くの利用法を見出しており、高信頼性のサービスおよびカバレージエリアの拡大を要求している。
【０００３】
移動局に対して連続した受信可能範囲を実現するために、セルラーネットワークに関連するアクセスポイント（基地局、アクセスネットワークなど）は、ユーザが位置を変えてもサービスを受けられるように、地理的に配置されている。このように、移動局は第１基地局から第２基地局に「ハンドオフ」される。言い換えると、移動局は、第１基地局に関連付けられた地理的地域内にある間、この第１基地局からサービスを受ける。移動局が第２基地局に関連付けられた地域に移動されると、移動局は第１基地局から第２基地局にハンドオフされる。理想的にはハンドオフはデータ損失、サービスの損失などを伴わずに発生する。
【０００４】
従来は、このハンドオフは、移動局と基地局間の多量のメッセージ伝達によって可能になっていた。例えば、移動局が基地局に向かって移動されると、様々なメッセージが、移動局と基地局間ならびに基地局と現在移動局にサービスしている基地局間に送出された。このメッセージ伝達により、移動局と基地局間に形成される順方向および逆方向リンクチャネルの割り当てを可能にする。ハンドオフが迅速に、かなりの量のデータの損失なく実現するために、１組の基地局を準備して移動局にサービスを提供する。
【０００５】
この１組の基地局は、移動局に関連付けられた地理的地域が変更されると更新される。より詳細には、移動局は通信を監視するように、または第１基地局からの第１周波数を通して通信を受信するように適合される。第２基地局は、同一周波数を通して移動局と通信でき、第２基地局は、特定の性能パラメータが一致する場合、この１組の基地局に対して追加される。基地局がこの組に追加されると、移動局がこのような基地局の特定の地理的範囲に入ると、基地局が準備されて、移動局をサービスする。基地局間のハンドオフは、好都合に多量のデータ損失なく実現する。
【０００６】
同一周波数で動作する別のセクタへの移動またはハンドオフは一般的であり、既存の技術を利用して実行できる。しかし、セクタ間の周波数のハンドオフまたは周波数間のハンドオフは通常、データ損失および接続損失の確率がより高いハードハンドオフを使用して達成される。周波数間ハンドオフは、同一技術のシステム間ではあるが、異なる周波数を通してのハンドオフを含む。ネットワーク展開は、スペクトルの可用性および周波数再利用率といった、様々な商業上の理由のために周波数間ハンドオフを必要とする。このようなネットワーク展開において、シームレスな周波数間ハンドオフに対する必要性が存在する。したがって、上述の必要性に対応するために、無線ネットワークシステムにおける通信および効率を改善するためにシームレスな周波数間ハンドオフを促進するための技術に対する必要性が存在する。
【発明の開示】
【発明の概要】
【０００７】
以下の説明は、このような実施形態のいくつかの態様の基本的な理解を可能にするために１つまたは複数の実施形態の簡略化された概要を提示する。本概要は１つまたは複数の実施形態の広範囲な全体像ではなく、また実施形態の主要なまたは重要な要素を特定することでもなく、このような実施形態の範囲を限定することも意図していない。以下の説明の唯一の目的は、後に提示される、より詳細な説明に対する前置きとして簡略化された形式で説明される実施形態のいくつかの概念を提示することである。
【０００８】
１つまたは複数の実施形態およびこれらの対応する開示に従って、様々な態様を無線ネットワークにおけるシームレスな周波数間ハンドオフに関して説明する。１つの実施形態によれば、１つの方法は、アクティブセット管理プロトコル中で指定されるメッセージ内の少なくとも１つの周波数要素に対するセクタパイロット強度情報をアクセスネットワークに報告することを含む。少なくとも別の周波数要素に関する情報はアクティブセット管理プロトコル内で指定されるメッセージ内で受信される。この方法はさらに、１つの周波数要素から別の周波数要素にハンドオフするかどうかを確認することを含む。両方の周波数要素はアクティブセットに含まれている。この方法はまた他の周波数要素にシームレスにハンドオフすることを含む。
【０００９】
別の実施形態によれば、無線通信デバイスはプロセッサおよびプロセッサと結合されたメモリを含む。プロセッサは、周波数要素を選択することにより、部分的には現在のサービスセクタと他の周波数セクタに対するパイロットの強度とを備えた無線チャネル状態に基づいてユーザデバイスをハンドオフするように構成できる。他の実施形態では、プロセッサは、周波数間ハンドオフを促進する時間の決定に基づいて通信を最適化する周波数オプティマイザに結合できる。
【００１０】
さらに別の実施形態によれば、無線通信環境においてシームレスな周波数間ハンドオフを提供する装置がある。装置は、モバイルデバイスの位置情報を提供する手段と、チャネル品質指標を少なくとも１つのセクタに対して報告する手段とを含むことができる。また、ＰｉｌｏｔＲｅｐｏｒｔメッセージ中で他の周波数セクタパイロット強度を報告する手段と、アクティブセットに含まれる少なくとも２つのセクタ間の周波数間ハンドオフをシームレスに実行する手段とを含む。
【００１１】
別の実施形態によれば、コンピュータ可読媒体は、コンピュータ実行可能命令を格納している。この命令は、第１周波数パイロットを有する第１アクセスネットワークからのＳｙｓｔｅｍＰａｒａｍｅｔｅｒメッセージを受信することと、第２アクセスネットワークの第２周波数パイロットを測定する時間を計算することとを含むことができる。命令はさらに、ＡｔｔｒｉｂｕｔｅＵｐｄａｔｅＲｅｑｕｅｓｔメッセージを送信することと、ＡｔｔｒｉｂｕｔｅＵｐｄａｔｅＡｃｃｅｐｔメッセージを受信することとを含むことができる。調整（ｔｕｎｅ−ａｗａｙ）が有効になり、第２周波数パイロットの測定を開始するかどうかの決定がなされる。さらに、命令は第２周波数パイロットを測定することと、第２周波数パイロットためのＰｉｌｏｔＲｅｐｏｒｔメッセージを送信することとを含むことができる。
【００１２】
別の実施形態によれば、プロセッサは命令を実行して、無線通信環境におけるシームレスな周波数間ハンドオフを提供する。命令は少なくとも１つのセクタにチャネル品質指標を報告することを含むことができる。命令は少なくとも１つのセクタにチャネル品質指標を報告することと、ＰｉｌｏｔＲｅｐｏｒｔメッセージ中で他の周波数セクタパイロット強度を報告することを含むことができる。命令はさらに周波数間ハンドオフをシームレスに実行することを提供できる。
【００１３】
別の実施形態によれば、シームレスな周波数間ハンドオフを提供する方法がある。この方法は、アクセス端末から調整期間のための要求を受信することと、アクセス端末に調整の許可メッセージを送信することとを含む。この方法はさらに、アクセス端末から、アクティブセット管理プロトコル内で指定されるメッセージ中の少なくとも１つの周波数要素に対するセクタパイロット強度情報を受信することと、アクティブセット管理プロトコル内で指定されたメッセージ中の少なくとも別の周波数要素に関する情報を送信することとを含む。さらに、この方法は、アクセス端末を少なくとも別の周波数要素にシームレスにハンドオフ可能にすることを含む。
【００１４】
別の実施形態によれば、無線通信システムにおける周波数間ハンドオフを提供するアクセスネットワークがある。ネットワークはモバイルデバイスから調整要求を受信する受信機と、少なくとも２つのアクセスネットワークがアクティブセット内に含まれていることをモバイルデバイスに通知するＡｃｔｉｖｅＳｅｔＡｓｓｉｇｎｍｅｎｔメッセージを送信する送信機とを含む。送信機はさらに、少なくとも第２アクセスネットワークを要求して、第２アクセスネットワークがそのモバイルデバイスについて有効であるリソースに応答することができる。受信機はさらに、少なくとも第２アクセスネットワークからリソース情報を受信できる。
【００１５】
前述および関連する目的を達成するために、１つまたは複数の実施形態は以下に詳細に説明され、特許請求の範囲において特に指摘される特徴を備える。以下の説明および添付図面は１つまたは複数の実施形態の詳細なある特定の例示的な態様を詳細に記載している。これらの態様が示されているが、様々な実施形態の原理を採用できる、少数のそれぞれの方法を示しており、記載されている実施形態はすべてのこのような態様およびこれらの均等物を含むことを意図としている。
【詳細な説明】
【００１６】
次に、様々な実施形態を図面を参照して説明する。以下の説明では、説明目的のために、多数の特定の詳細事項を開示することにより、１つまたは複数の実施形態の完全な理解を可能にしている。このような実施形態はこれらの特定の詳細事項を備えることなく実現されてもよいことは明白である。他の例では、既知の構造体およびデバイスをこれらの実施形態の説明を容易にするためにブロック図形式で示している。
【００１７】
本出願で使用されているとおり、用語「コンポーネント」、「システム」などは、コンピュータ関連エンティティ、すなわちハードウェア、ファームウェア、ハードウェアとソフトウェアの組み合わせ、ソフトウェアまたは実行中のソフトウェアのいずれかを意味するものとする。例えば、コンポーネントは、プロセッサ上で実行するプロセス、プロセッサ、オブジェクト、実行可能ファイル、実行スレッド、プログラムおよび／またはコンピュータであってもよいが、これらに限定されない。実例として、コンピュータデバイス上で実行するアプリケーションおよびコンピュータデバイスは共にコンポーネントであってよい。１つまたは複数のコンポーネントはプロセスおよび／または実行スレッド内にあってもよい。またコンポーネントは１つのコンピュータ上に配置されていてもよく、および／または２つ以上のコンピュータ間に分散されていてもよい。加えて、これらのコンポーネントは、様々なデータ構造が格納されている各種のコンピュータ可読媒体から実行できる。コンポーネントは、例えば１つまたは複数のデータパケット（例えば、ローカルシステム、分散システム内の別のコンポーネントと対話する、および／または信号により他のシステムとインターネットなどのネットワークを介して別のコンポーネントと対話する、１つのコンポーネントからのデータ）を有する信号によりローカルおよび／またはリモートプロセスにより通信してもよい。
【００１８】
さらに、本明細書では、様々な実施形態をユーザデバイスに関して説明している。ユーザデバイスはまた、システム、加入者ユニット、加入者局、移動局、モバイルデバイス、遠隔局、アクセスポイント、基地局、遠隔端末、アクセス端末、ユーザ端末、端末、ユーザエージェントまたはユーザ装置と称することもできる。ユーザデバイスは携帯電話、コードレス電話、セッション開始プロトコル（ＳＩＰ）電話、無線ローカルループ（ＷＬＬ）局、ＰＤＡ、無線接続能力を有する携帯端末、または無線モデムに接続された他の処理デバイスであってもよい。
【００１９】
さらに、本明細書に説明されている様々な態様または特徴は、標準的なプログラミングおよび／またはエンジニアリング技術を使用する方法、装置または製品として実現されてもよい。ここで用いられている用語「製品」は任意のコンピュータ可読デバイス、キャリアまたは媒体からアクセス可能であるコンピュータプログラムを含むものとする。例えば、コンピュータ可読媒体は、磁気記憶デバイス（例えば、ハードディスク、フロッピー（登録商標）ディスク、磁気ストリップなど）、光ディスク（例えば、コンパクトディスク（ＣＤ）、ディジタル多用途ディスク（ＤＶＤ）など）、スマートカードおよびフラッシュメモリデバイス（例えば、カード、スティック、キードライブなど）を含むことができるが、これらに限定されない。
【００２０】
次に図面を参照すると、図１は本明細書に提示されている様々な実施形態による無線通信システム１００を示している。システム１００は、相互におよび／または１つまたは複数のモバイルデバイス１０４との間で無線通信信号を受信、送信、反復などを行う、１つまたは複数のアクセスポイントまたは基地局１０２を備えることができる。アクセスポイント１０２は無線システム１００と有線ネットワーク（図示せず）の間のインタフェースを表わすことができる。
【００２１】
各アクセスポイント１０２は、それぞれが信号の送信および受信に関連する複数のコンポーネント（例えば、プロセッサ、変調器、マルチプレクサ、復調器、デマルチプレクサ、アンテナなど）を備える、送信機チェーンおよび受信機チェーンを備えることができる。モバイルデバイス１０４は、例えば、携帯電話、スマートフォン、ラップトップコンピュータ、携帯用通信デバイス、携帯用コンピュータデバイス、衛星ラジオ、衛星利用測位システム、ＰＤＡおよび／または無線システム１００を介して通信するための他の適切なデバイスであってもよい。無線システム１００では、アクセスポイント１０２からの小型データパケット（一般的にビーコンと称される）の定期的な送信は、無線システム１００および送信システム１００の情報の存在を知ることで実行できる。モバイルデバイス１０４はビーコンを感知し、アクセスポイント１０２および／または他のモバイルデバイス１０４に対する無線接続を確立することを試みることができる。
【００２２】
システム１００は、異なるセクタおよび／または異なる周波数で動作する様々なネットワークおよび／またはプロトコルを介する、シームレスな遷移を促進することによって、有効なネットワークおよびプロトコルを利用する能力をモバイルデバイス１０４を使用するユーザに提供する。システム１００はまた自動的に、ユーザの現在の位置および／または報告されたセクタパイロット強度を与えられえると、同一または異なる周波数上で動作するネットワークの内部または外部にいずれかの最良のアクセスポイントまたはセクタを利用する機会をユーザに提供する。ユーザは、モバイルデバイス１０４がアイドルモード（アイドルセッション）または接続モード（アクティブセッション）である場合にかかわらず様々なセクタを利用できる。
【００２３】
アイドルモードは、ユーザサービスが存在しないがモバイルデバイス１０４がページングチャネルおよびｔオーバーヘッドチャネルを監視している時間（時期）を指す。アイドルモードの間は、受信機（モバイルデバイス）はダウンリンク測定に利用可能である。また、アイドルモードの間に、新しいアクセスネットワークおよび／または新しい技術的方法の予定外の再選択が発生する可能性がある。アイドルモードに入る前に（例えば起動時）、モバイルデバイス１０４はサービスに利用可能である最良または最適なシステムを決定するために、Ｓｙｓｔｅｍ  Ｓｅｌｅｃｔｉｏｎを実行しなければならない。アイドルモードにある間、モバイルデバイスは連続的に隣接のアクセスネットワークを検査しなければならない。「より好適な」アクセスネットワークの決定において、モバイルデバイス１０４は新しいアクセスネットワークを介し遷移できる。接続されたモードはアクティブなユーザサービスを指す（例えば、呼び出し、アクティブなデータ接続）。このモードの間、デバイスを新しい技術的方法および／または周波数にハンドオフすることが可能である。ユーザサービスが優先する理由から、この時間の間に測定に対する受信機の可用性が制限されることがある。
【００２４】
モバイルデバイス１０４内のコンポーネントは、１つまたは複数の周波数で動作する１つまたは複数のチャネル状態を監視および／または検出できる。チャネル状態が所定のしきい値またはチャネル品質であるか、またはこれらを超えている場合は、モバイルデバイス１０４はチャネルを切り換えない。しかし、チャネル品質（例えば信号対雑音比）が所定のしきい値レベルを下回る場合、異なるチャネルに切り換える。
【００２５】
いくつかの実施形態では、モバイルデバイス１０４内に配置されたコンポーネントは１つまたは複数のアクセスポイント１０２と連動して動作して、各ネットワークのモバイルデバイス１０４の位置の確認を促進でき、様々な位置特定技術を介して促進できる。位置情報を利用して、どのユーザが、モバイルデバイス１０４により現在利用されているものと同一または異なる周波数で動作している２次ネットワークに対してトランスペアレントなハンドオフを有するのに最適であるかを予測することができる。例として、ユーザは、例えば車で市街を高速で移動することができる。モバイルデバイス１０４が通信できる様々なアクセスポイントはそれぞれの周波数で動作できる。モバイルデバイス１０４は、ユーザが特定のアクセスポイントに接近すると、１つの周波数から別の周波数などにシームレスに切り換えできる。モバイルデバイスが切り換えられるネットワークはユーザの位置および／または検出された周波数強度の関数である。ハンドオフは周波数内ハンドオフまたは周波数間ハンドオフであってもよい。しかし、ハンドオフを決定するためにモバイルデバイス１０４の位置を利用することは任意であり、本明細書に説明されている様々な技術に従って利用されなくてもよいことを理解されたい。
【００２６】
図２は本明細書に提示されている様々な実施形態において利用される機能ブロックを示している。これらの機能ブロックは、プロセッサ、ソフトウェアまたはこれらの組み合わせ（例えばファームウェア）により実現される機能を表す。ロケータ２０２、チャネル品質指標（ＣＱＩ）通知装置２０４、周波数レポータ１０６およびハンドオフ機構２０８が示されている。機能ブロックは、数の多い少ないはあるが、開示された実施形態において利用できることを理解されたい。例えば、２つ以上の機能ブロックは結合が可能であり、または１つの機能ブロックは２つ以上の機能ブロックに分離できる。これらの方法の組み合わせもまた使用されてもよい。
【００２７】
オプションのロケータ２０２はモバイルデバイスの位置に関する情報を提供するように構成できる。位置情報は、例えば、衛星利用測位システム（ＧＰＳ）または、デフォルトのアクティブセット管理プロトコルといった他の位置決定機構により提供できる。アクティブセット管理プロトコルは、アクセス端末のおおよその位置を監視または追跡するために、アクセス端末およびアクセスポイントにより利用される手順およびメッセージを提供できる。
【００２８】
またアクティブセットを利用して、アクセス端末が様々なセクタのカバレージエリア間で移動するときに、無線リンクを維持することができる。アクティブセットは、アクセス端末に対して割り当てられたＭＡＣＩＤを用いてセクタのパイロット・セットとして定義される。アクティブセットは、モバイルデバイスに関する知識を有し、そのサービスを提供するために特定のリソースを検索するセクタ・セットである。アクティブセット要素は相互に同期または非同期であってもよい。アクセス端末は、これらのアクティブセット要素のセクタの間で随時、サービスするセクタを切り換えできる。アクティブセットの同期サブセットは、互いに同期であるセクタから成る。さらに、サブセットは最大のサブセットであり、例えば、このサブセットにおいてセクタと同期であるすべてのセクタはこのサブセットに含まれる。それぞれの同期サブセットＡＳＳＹＮＣＨはＡｃｔｉｖｅＳｅｔＡｓｓｉｇｎｍｅｎｔメッセージの最新インスタンスを用いて解釈できる。アクセス端末からアクティブセットの２つの異なる同期サブセットへの送信は相互に独立している。例えば、ＣＱＩ通知装置２０４は任意の他の同期サブセットから独立しているセクタの同期サブセットにＣＱＩを通知または報告するように構成できる。
【００２９】
シームレスな周波数間ハンドオフを促進するために、アクティブセット概念は２つ以上の周波数の要素を含むように拡張される。この結果、アクティブセットは２つ以上の周波数の要素を含み、これにより、これらの２つ以上の周波数間でハンドオフするのに必要な時間量を最小にする。様々な周波数からのセクタは相互に対して同期または非同期であってもよい。アクティブセットに別の周波数セクタを追加することを促進するために、周波数レポータ２０６はアクティブセット管理プロトコル内で指定されるメッセージ中の他の周波数セクタのパイロット強度を報告するように構成できる。周波数レポータ２０６はさらに他の周波数セクタのパイロット強度を測定するように構成できる。
【００３０】
パイロット強度を報告できる様々な方法が存在する。アイドルモードにある間、受信機は周波数測定に利用できる（アイドルモードにおけるスロット化動作を仮定すると）。接続されたモードにおいてパイロット強度を報告するために、デュアル受信機２０８または一時的な調整機構２１０のいずれかが利用される。調整はサービスから離れて時間を取ることにより、他のシステム周波数を測定する機構である。いくつかの実施形態では、２つ以上の受信手段が利用可能である。１つの受信手段を利用することにより、無線リンク上の通信を継続または確立すると同時に、他の受信手段が様々な機能を実行して周波数間ハンドオフを確立および実行することができる。さらに、他の実施形態では、デュアル受信機は利用できず、このため、図３および４を参照して以下に説明される調整機構２０８が設けられている。
【００３１】
周波数間ハンドオフ機構２１２は、無線リンクを中断しないシームレスなハンドオフを促進するように構成できる。様々なパラメータを監視して、特定のハンドオフが無線リンクを乱さないことを保証できる。これらのパラメータは、ユーザデバイスの位置および／またはモバイルデバイスがハンドオフできる、１つまたは複数のアクセスネットワークの位置を含むが、これらに限定されない。特定のハンドオフが無線リンクを乱すことが予測される場合、周波数間ハンドオフは許可されてはならず、これによりシステム２００の完全性を維持する。
【００３２】
以下の詳細な説明では、様々な態様および実施形態が時分割二重通信（ＴＤＤ）システムまたは周波数分割二重通信（ＦＤＤ）システムに関連して説明されている。これらの発明の態様は開示された実施形態における利用に最適であると同時に、当業者であれば、これらの発明の態様が同様に様々な他のシステムにおける利用に対して適用可能であることを容易に理解するであろう。したがって、ＴＤＤおよび/またはＦＤＤの参照はいずれも、このような発明の態様が広範な用途を有することを理解することにより、発明の態様を説明することだけを意図している。
【００３３】
図３は様々な実施形態による時分割二重通信（ＴＤＤ）システムにおける調整タイミングまたはスケジューリング３００を示している。調整機構２０８は（図２に示されるとおり）調整スケジュールおよび調整制御を含む。ＴｕｎｅＡｗａｙＳｃｈｅｄｕｌｅＮ属性は、アクセス端末とアクセスポイント間の調整スケジュールを通信する手段を提供する。アクセスネットワーク３０２に対するタイミングは図の上部に示されており、アクセス端末３０４に対するタイミングは底部に示されている。アクセスネットワーク３０２は複数の順方向リンクＰＨＹフレームを含み、これらのうちのフレーム０、１、．．．１１、１２および１３が示されている。同様に、アクセス端末は複数の逆方向ＰＨＹフレームを含み、これらのうちのフレーム０、１、．．．１１、１２および１３が示されている。このタイミングは連続的であり、実際には不確定である可能性があることを理解されたい。
【００３４】
スケジュール３００は、第１調整が、ＴｕｎｅＡｗａｙＳｃｈｅｄｕｌｅＮに提供されている、３０６で示されたＳｕｐｅｒＦｒａｍｅＮｕｍｂｅｒにより定義されているＳｕｐｅｒＦｒａｍｅの間に発生した、と想定する。さらに第１調整のより正確な時間は、ＳｔａｒｔＳｕｐｅｒＦｒａｍｅＯｆｆｓｅｔ３０８であり、この時間は以前に識別されたＳｕｐｅｒＦｒａｍｅの開始からのマイクロ秒（μｓ）で定義される。ＴｕｎｅＡｗａｙＤｕｒａｔｉｏｎ３１０は、アクセス端末３０４が調整するマイクロ秒単位の長さである。ＴｕｎｅＡｗａｙＰｅｒｉｏｄｉｃｉｔｙ３１２は連続的な調整の開始の間の時間をマイクロ秒単位で決定する。アクセス端末３０４は１つまたは複数の調整スケジュールをネゴシエートすることができる。例えば、１つのシステムのページを監視するためにおよび周波数間ハンドオフに対して調整するために複数のスケジュールが必要である場合があることを理解されたい。
【００３５】
調整期間によりアクセス端末３０４がＳｙｓｔｅｍｌｎｆｏブロックを見逃す場合、アクセス端末はＳｙｓｔｅｍｌｎｆｏブロックの全体の有効期間に対して調整を維持しなければならない。有効期間は約２つのＳｕｐｃｒｆｒａｍｅである。３１４で示されるとおり、調整が特定のフレームの開始以外のあるポイントから開始する場合（例えば、開始に近い、中間、終了に近いまたはこれらの間の任意の位置）、アクセスネットワークおよびアクセス端末の両方は、例えばフレーム３１６の開始といった、ＰＨＹフレームの開始時に開始としてこれを解釈する。同様の方法で、調整がフレーム内の任意のポイントで終了する場合、調整はこのフレームの終点で終了する。各セクタは第１送信されるＳｕｐｅｒｆｒａｍｅから開始する移動体広帯域無線アクセス（ＭＢＷＡ）時間を知っていることに注意されたい。この通知に基づいて、スケジュールはアクセス端末により生成され、調整の直前に発生するフレーム境界を位置特定できる（例えば、フレーム境界に一致する時間における位置）。
【００３６】
図４は様々な実施形態による周波数分割二重通信（ＦＤＤ）システムにおける調整タイミングまたはスケジューリング４００を示している。アクセスネットワーク４０２に対するスケジュールは図の上部に示されており、アクセス端末４０４に対するスケジュールは図の下部に示されている。アクセスネットワーク４０２は、複数の順方向リンクＰＨＹフレームを含み、これらのうちのフレーム０、１、２、３．．．２２、２３、２４、２５、２６および２７が示されている。同様に、アクセス端末は複数の逆方向ＰＨＹフレームを含み、これらのうちのフレーム０、１、２、３．．．２２、２３、２４、２５、２６および２７が示されている。このタイミングは連続的であり、実際には不確定である可能性があることを理解されたい。
【００３７】
ＳｔａｒｔＳｕｐｅｒＦｒａｍｅＮｕｍｂｅｒ４０６は調整サイクルを計算するために利用される。第１調整はＳｔａｒｔＳｕｐｅｒＦｒａｍｅＮｕｍｂｅｒ４０６の間に発生したと基本的に仮定される。ＳｔａｒｔＳｕｐｅｒＦｒａｍｅＯｆｆｓｅｔ領域４０８はマイクロ秒の単位で測定される。調整サイクルを計算するために、Ｓｕｐｅｒｆｒａｍｅ数のＳｔａｒｔＳｕｐｅｒＦｒａｍｅＮｕｍｂｅｒ４０６の開始後に、第１調整が、ＳｔａｒｔＳｕｐｅｒＦｒａｍｅＯｆｆｓｅｔ４０８時間から開始することが仮定されなければならない。
【００３８】
マイクロ秒単位の調整継続時間は領域ＴｕｎｅＡｗａｙＤｕｒａｔｉｏｎ４１０によって決定される。マイクロ秒単位の連続的な調整の開始の間の時間を決定するために、ＴｕｎｅＡｗａｙＰｅｒｉｏｄｉｃｉｔｙフィールド４１２が利用される。継続時間が順方向リンク物理フレーム０内にある場合、アクセスネットワーク４０２およびアクセス端末４０４の両方は早期に逆方向リンク割り当てを終了する。図示されるとおり、逆方向リンクＰＨＹフレーム０は順方向リンクＰＨＹフレーム０より早期に開始しなければならない。
【００３９】
周波数間ハンドオフに関する方法を説明する。説明の単純化のために、この方法は一連の動作として示され説明されるが、この方法は、いくつかの動作が特許請求される主題に従って、本明細書に示され説明されているものとは異なる順番でおよび／または他の動作と同時に発生する可能性があるため、動作の順番によって制限されないことを理解および認識されたい。例えば、当業者であれば、方法が代わりに、例えば状態図におけるように、一連の中断状態またはイベントとして表わすことができることを理解し、認識するであろう。さらに、１つまたは複数の実施形態による方法を実現するために、すべての図示された動作が利用されなくてもよい。
【００４０】
図５は周波数間ハンドオフメッセージを通信する方法５００を示している。方法５００は５０２から開始され、５０２ではＳｙｓｔｅｍＰａｒａｍｅｔｅｒメッセージが第１周波数パイロットを有する第１アクセスネットワークから受信される。ＳｙｓｔｅｍＰａｒａｍｅｔｅｒは同一または他の無線システムにおけるアクセスネットワークに対する周波数隣接リストを含むことができる。５０４では、第１アクセスネットワークとは異なる周波数を有する、他のアクセスネットワーク（複数の場合も有る）に対する周波数パイロットを測定するための時間が計算される。この計算された時間は、必要に応じて、調整期間を制御するために利用できる。ＡｔｔｒｉｂｕｔｅＵｐｄａｔｅＲｅｑｕｅｓｔメッセージは、５０６において送信され、このメッセージは調整属性である。この要求が受け入れられると、ＡｔｔｒｉｂｕｔｅＵｐｄａｔｅＡｃｃｅｐｔが５０８で受信され、調整が有効になる。
【００４１】
調整はアクセスポイントに関連する順方向リンク制御チャネルの監視を中止すること、および／または逆方向リンクを介するアクセスポイントとの通信を中止することを含むことができる。いくつかの実施形態では、セクタパイロット強度情報を報告することはデュアル受信機機能を利用する。１つの受信機は通信目的のために使用でき、第２受信機はセクタパイロット強度を測定するために使用できる。
【００４２】
図６は様々な実施形態による周波数間ハンドオフを決定する方法６００を示している。方法６００は６０２から開始され、このとき、アクセス端末は、例えば図５を参照して説明された方法を利用することにより調整期間を有効にする。調整はアクセスポイントに対するアクセス端末からの要求により有効にされる。アクセスポイントが受諾を応答すれば、アクセス端末は調整を実行できる。
【００４３】
方法は６０４に続き、測定を開始するかどうかを決定する。６０４での決定が「ｎｏ」の場合、方法６００は６０６に続き、６０６では、そのネットワークにハンドオフする可能性のあるアクセスネットワークの監視が連続的または定期的に実行される。６０４での決定が「ｙｅｓ」の場合、方法６００は６０８に続く。モバイルデバイスは同一または異なる周波数を有する少なくとも第２アクセスネットワークに同調し、測定は、調整の間に、第２アクセスネットワークに対する隣接リスト内のパイロットから実施される。測定を実施後、モバイルデバイスは第１アクセスネットワークに再同調でき、６１０において、ＰｉｌｏｔＲｅｐｏｒｔメッセージを第１アクセスネットワークに送信できる。ＰｉｌｏｔＲｅｐｏｒｔメッセージの送信は、測定されたパイロットについてのしきい値に達すると、任意に発生する。
【００４４】
方法は６１２に続き、アクティブセット割り当てメッセージが送信される。このメッセージを送信できるのは、アクセスネットワークが、そのパイロットが追加および／またはアクティブセットから除去される必要があると決定する場合である。パイロットがアクティブセット内にあると、アクセス端末は６１４において、任意のアクティブセットパイロットの間で切り換えできる。次にハンドオフが実行でき、アクセス端末は、パイロットがアクティブセットの要素であれば、パイロット間で切り換えできる。アクセス端末は、現在のサービスするセクタのパイロット強度が一定のしきい値を下回るおよび／または他の周波数セクタのパイロット強度が一定のしきい値を上回る場合、ハンドオフしてもよい。パイロット強度情報を報告するのに、様々な機構を利用できる。例えば、モバイルデバイスはデュアル受信機（または３以上の受信機）を有することができる。１つの受信機は、他の受信機がパイロット強度情報を報告するために利用される間、無線リンクを介して情報を通信し続けるのに利用できる。
【００４５】
他の実施形態では、モバイルデバイスは１つの受信機を有するだけであってもよく、調整プロトコルが利用される。調整プロトコルは、所定の長さを有する特定の時間中に、モバイルデバイスが通信を送信または受信しないことを提供する。この調整期間中、受信機はパイロット強度情報を測定し、その後、このような通信または無線リンクを中断せずに通信モードに戻る。この一時的な調整は、モバイルデバイスが接続またはアクティブモードになるのとほぼ同時に実行できる。
【００４６】
図７は周波数間ハンドオフメッセージのグラフ表示７００を示している。アクセス端末（ＡＴ）７０２、第１周波数を有するアクセスネットワーク（ＡＮ（Ｆ１））７０４、第２周波数を有するアクセスネットワーク（ＡＮ（Ｆ２））７０６間のメッセージフローが示されている。時間軸は７０８に示されており、時間「ａ」から時間「ｎ」で示されている。
【００４７】
時間「ａ」の間に、ＳｙｓｔｅｍＰａｒａｍｅｔｅｒメッセージ７１０はＡＮ（Ｆ１）７０４からアクセス端末７０２に送信される。ＳｙｓｔｅｍＰａｒａｍｅｔｅｒメッセージ７１０は他の周波数隣接リストを含むことができる。時間「ｂ」では、アクセス端末７０２は、他の周波数パイロットを測定するのに必要な時間を計算する。アクセス端末７０２は、時間「ｃ」の間に、ＴｕｎｅＡｗａｙＡｔｔｒｉｂｕｔｅを含む、ＡｔｔｒｉｂｕｔｅＵｐｄａｔｅＲｅｑｕｅｓｔ７１２をＡＮ（Ｆ１）７０４に送信する。ＡｔｔｒｉｂｕｔｅＵｐｄａｔｅＲｅｑｕｅｓｔが受け入れられると、時間「ｄ」の間に、ＡｔｔｒｉｂｕｔｅＵｐｄａｔｅＡｃｃｅｐｔメッセージが伝送される。アクセス端末７０２は、期間「ｅ」の間に、測定を開始するかどうかを決定する。測定が開始された場合、時間「ｆ」の間に、ＴｕｎｅＡｗａｙＲｅｑｕｅｓｔメッセージ７１６がＡＮ（Ｆ１）７０４に伝送される。ＡＮ（Ｆ１）７０４はアクセス端末７０２にＴｕｎｅＡｗａｙＲｅｓｐｏｎｓｅメッセージを送信する。
【００４８】
次の調整期間の開始は、時間「ｇ」において発生する。このときに、順方向リンク／逆方向リンク割り当ては失効する。次の期間「ｈ」の間に、アクセス端末７０２は７１８においてＡＮ（Ｆ２）に同調し、このパイロットを測定する。次の期間「ｉ」の間に、アクセス端末７０２はＡＮ（Ｆ１）７０４に再同調し、サービスするセクタの使用を再開する。測定されたＰｉｌｏｔがしきい値と交差する場合、他の周波数パイロットを含んでもよいＰｉｌｏｔＲｅｐｏｒｔメッセージ７２０は、時間「ｊ」の間に送信される。７２２では、ＡＮ（Ｆ１）７０４およびＡＮ（Ｆ２）はアクセス端末７０２に使用可能なリソースに関して要求および／または応答するために通信する。アクセスネットワークが、パイロット報告に基づいてアクティブセットに他の周波数セクタＡＮ（Ｆ２）７０６を追加することを決定する場合、次にステップ「ｋ」において、アクティブセット割り当てメッセージ７２４をＡＮ（Ｆ２）７０６に対するパイロットを含むアクセス端末７０２に送信する。ＡＮ（Ｆ２）７０６はアクティブセットに追加される。このポイントでは、ＡＮ（Ｆ２）７０６のアクセスネットワークはアクセス端末７０２に対するアクティブセットの一部である。最初に、時間「ａ」では、ＡＮ（Ｆ１）７０４はアクティブセットに含まれるネットワークのみであり、次に、時間「ｋ」の後に、アクティブセット上に２つのアクセスネットワークが存在する。アクセス端末７０２は、ＡＮ（Ｆ１）７０４とＡＮ（Ｆ２）７０６との間およびアクティブセットに含まれる任意の他のネットワーク間を切り換えできる。アクセス端末はパイロット測定または異なるネットワークが最適なチャネル状態を提供することを示す他の測定に基づいて切り換えることを決定してもよい。
【００４９】
ＡＮ（Ｆ２）７０６がアクティブセット内にあるときに、アクセス端末７０２はＡＮ（Ｆ２）７０６に対して周波数間ハンドオフを実行することを決定してもよい。アクセス端末７０２がハンドオフを実行することを決定すると、アクセス端末７０２は、７２６において、短いアクセス時間でＡＮ（Ｆ２）７０６と交信して、ＡＮ（Ｆ２）７０６のタイミング情報を獲得する。これは時間「ｍ」の間に発生する。時間「ｎ」の間に、アクセス端末７０２およびＡＮ（Ｆ２）７０６は通信し、アクセス端末７０２は、別の周波数間ハンドオフがアクティブセットに含まれているアクセスネットワークにより発生するまで、ＡＮ（Ｆ２）７０６からサービスを受信する。他のアクセスネットワークはアクティブセットに追加され、モバイルデバイス７０２は、上述のとおり実質的に同様の方法でこれらのネットワークにハンドオフできる。
【００５０】
図８は、本明細書に提示されている１つまたは複数の実施形態による、無線通信環境における周波数間ハンドオフを利用するシステム８００を示している。当業者により理解されるとおり、システム８００は基地局および／またはユーザデバイス内に存在できる。システム８００は、例えば１つまたは複数の受信アンテナから信号を受信する受信機８０２を含み、受信信号上で通常の動作（例えばフィルタ処理、増幅、ダウンコンバートなど）を実行し、調整済み信号をディジタル化してサンプルを取得する。復調器８０４は受信パイロット記号を復調し、チャネル推定のためにプロセッサ８０６に提供できる。
【００５１】
プロセッサ８０６は、受信機８０２により受信された情報を分析し、および／または送信機８１４による送信のために情報を生成することに割り当てられたプロセッサであってもよい。プロセッサ８０６は、ユーザデバイス８００の１つまたは複数のコンポーネントを制御するプロセッサ、および／または受信機８０２により受信される情報を分析し、送信機８１４により送信するための情報を生成し、ユーザデバイス８００の１つまたは複数のコンポーネントを制御するプロセッサであってもよい。ユーザデバイス８００は、周波数間ハンドオフおよび割り当てを調整する周波数オプティマイザ８０８を含むことができる。周波数オプティマイザ８０８はプロセッサ８０６に組み込まれていてもよい。周波数オプティマイザ８０８は、様々の周波数セクタに対してユーザデバイスを割り当てることに関してユーティリティベースの分析を実行する、最適化コードを含むことができる。最適化コードは、推論および／または確率的決定を実行することに関して、および／またはユーザデバイス周波数間ハンドオフを最適化することに関連して統計ベースの決定を実行することに関して、人工知能ベースの方法を利用できる。
【００５２】
ユーザデバイス８００はさらに、プロセッサ８０６に機能的に結合され、周波数および／またはセクタパイロット強度情報に関連する情報、これらに関する情報を備えるルックアップテーブル、および本明細書で説明される周波数間ハンドオフに関する他の適切な情報を記憶するメモリ８１０を備えることができる。メモリ８１０はさらに、ルックアップテーブルなどを生成するのに関連するプロトコルを格納し、これにより、ユーザデバイス８００が格納されたプロトコルおよび／またはアルゴリズムを利用してシステム容量を増加できるようにすることができる。本明細書に説明されているデータ記憶（例えばメモリ）コンポーネントは揮発性メモリまたは不揮発性メモリのいずれでもよく、または揮発性および不揮発性メモリの両方を含んでもよいことを理解されたい。例として、これらに限定されないが、不揮発性メモリは読み出し専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）またはフラッシュメモリを含むことができる。揮発性メモリはランダムアクセスメモリ（ＲＡＭ）を含むことができ、これは外部キャッシュメモリとして作用する。例として、これらに限定されないが、ＲＡＭはシンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、高性能ＳＤＲＡＭ（ＥＳＤＲＡＭ）、シンクリンクＤＲＡＭ（ＳＬＤＲＡＭ）およびダイレクトＲａｍｂｕｓＲＡＭ（ＤＲＲＡＭ）といった多くの形態で利用可能である。対象のシステムおよび方法のメモリ８１０は、これらに限定されないが、これらおよび他のタイプの適切なメモリを備えることを意図されている。プロセッサ８０６は記号変調器８１２および変調された記号を送信する送信機８１４に接続されている。
【００５３】
図９は、様々な実施形態による、周波数間ハンドオフ技術を利用して無線通信環境におけるシステム容量を増加するシステムを示している。システム９００は受信機９１０を有する基地局９０２を備え、受信機９１０は、１つまたは複数の受信アンテナ９０６を介して１つまたは複数のユーザデバイスから信号（複数の場合も有る）を受信し、複数の送信アンテナ９０８を介して１つまたは複数のユーザデバイス９０４に送信する。１つまたは複数の実施形態では、受信アンテナ９０６および送信アンテナ９０８は単一セットのアンテナを使用して実現できる。受信機９１０は受信アンテナ９０６から情報を受信でき、受信情報を復調する復調器９１２と動作可能に結合されている。受信機９１０は、例えば、当業者には理解されるとおり、Ｒａｋｅ受信機（例えば、複数のベースバンド相関器を用いてマルチパス信号成分を個々に処理する技術）、ＭＭＳＥベース受信機、またはこれらに割り当てられるユーザデバイスを分離するのに適する特定の他の受信機であってもよい。様々な態様によれば、複数の受信機を使用でき（例えば受信アンテナ当たり１つ）、このような受信機は相互に通信してユーザデータの改善された推定を提供できる。復調された記号は、図８に関して上に述べられたプロセッサと類似のプロセッサ９１４であって、ユーザデバイス割り当てに関する情報、この割り当てに関するルックアップ表などを格納するメモリ９１６に結合されているプロセッサ９１４によって分析される。各アンテナに対する受信機出力は受信機９１０および／またはプロセッサ９１４により共同して処理できる。変調器９１８は、送信アンテナ９０８を介して送信機９２０からユーザデバイス９０４に送信する信号を多重化することができる。
【００５４】
基地局９０２はさらに割当器９２２を備えることができる。この割当器９２２は、プロセッサ９１４とは異なるプロセッサであるか、またはプロセッサ９１４と一体化されたプロセッサであってもよく、基地局９０４によりサービスされるセクタ内のすべてのユーザデバイスのプールを評価でき、個別のユーザデバイスの位置、周波数転送スキームなどに少なくとも部分的に基づいて、特定の周波数セクタにユーザデバイスを割り当てることができる。
【００５５】
図１０に示されるとおり、無線アクセスポイントは、主ユニット（ＭＵ）１０５０および無線ユニット（ＲＵ）１０７５を備える。ＭＵ１０５０はアクセスポイントのディジタルベースバンドコンポーネントを含む。例えば、ＭＵ１０５０はベースバンドコンポーネント１００５およびディジタル中間周波数（ＩＦ）処理ユニット１１００を含むことができる。ディジタルＩＦ処理ユニット１０００は、例えばフィルタ処理、チャネル化、変調その他といった機能を実行することにより、中間周波数において無線チャネルデータをディジタル的に処理する。ＲＵ１０７５は、アクセスポイントのアナログ無線部分を含む。ここで使用されているとおり、無線ユニットは、アクセスポイントのアナログ無線部分またはモバイルスイッチングセンタまたは対応するデバイスへの直接または間接接続を備える他の方式の送受信局である。無線ユニットは一般に、通信システムの特定のセクタにサービスを提供する。例えば、ＲＵ１０７５はもう１つのアンテナ１０３５ａ−ｔに接続されている１つまたは複数の受信機１０３０を備えることにより、モバイル加入者ユニットから無線通信を受信することができる。１つの態様では、１つまたは複数の電力増幅器１０８２ａ−ｔが１つまたは複数のアンテナ１０３５ａ−ｔに結合されている。アナログディジタル（Ａ／Ｄ）変換器１０２５が受信機１０３０に接続されている。Ａ／Ｄ変換器１０２５は、ディジタルＩＦ処理ユニット１０１０を介してベースバンドコンポーネント１００５に送信するために、受信機１０３０により受信されたアナログ無線通信をディジタル入力に変換する。ＲＵ１０７５はまた、アクセス端末への無線通信の送信のために、同一または異なるアンテナ１０３５のいずれかに接続されている１つまたは複数の送信機１０２０を含むことができる。ディジタルアナログ（Ｄ／Ａ）変換器１０１５は送信機１０２０に接続されている。Ｄ／Ａ変換器１０１５は、ディジタルＩＦ処理ユニット１０１０を介してベースバンドコンポーネント１００５から受信されたディジタル通信をアナログ出力に変換し、モバイル加入者ユニットへ送信する。いくつかの実施形態では、マルチプレクサ１０８４が多重チャネル信号を多重化し、および音声信号およびデータ信号を含む様々な信号を多重化する。中央プロセッサ１０８０が主ユニット１０５０および無線ユニットに結合され、音声またはデータ信号の処理を含む様々な処理を制御する。
【００５６】
本明細書に説明されている実施形態はハードウェア、ソフトウェア、ファームウェア、ミドルウェア、マイクロコードまたはこれらの任意の組み合わせにより実現されてもよいことを理解されたい。ハードウェア実装については、アクセスポイントまたはアクセス端末内の処理ユニットが、１つまたは複数の特定用途向け集積回路（ＡＳＩＣ）、ディジタルシグナルプロセッサ（ＤＳＰ）、ディジタルシグナルプロセッシングデバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載される機能を実行するように設計された他の電子ユニットまたはこれらの組み合わせ内に実装されてもよい。
【００５７】
実施形態がソフトウェア、ファームウェア、ミドルウェアまたはマイクロコード、プログラムコードまたはコードセグメント内に実装されるとき、これらは、格納コンポーネントといった、機械可読媒体に格納されてもよい。コードセグメントは、プロシージャ、機能、サブプログラム、プログラム、ルーチン、サブルーチン、モジュール、ソフトウェアパッケージ、クラスまたは命令の任意の組み合わせ、データ構造体またはプログラム文を表してもよい。コードセグメントは、情報、データ、引数、パラメータまたは記憶内容を通過および/または受信することにより、別のコードセグメントまたはハードウェア回路に結合されてもよい。情報、引数、パラメータ、データ他は、記憶空間の共有、メッセージ受渡し、トークンパッシング、ネットワーク伝送などを含む任意の適切な手段を使用して、通過、転送または伝送されてもよい。
【００５８】
ソフトウェア実装については、本明細書に説明された技術は、ここに記載された機能を実行するモジュール（例えば、プロシージャ、機能など）を用いて実装されてもよい。ソフトウェアコードは、メモリユニットに格納され、プロセッサにより実行されてもよい。メモリユニットはプロセッサ内に実装されているか、またはプロセッサの外部であってもよく、この場合、当技術分野で既知の様々な手段によりプロセッサに通信可能なように結合することができる。
【００５９】
上述の内容は１つまたは複数の実施形態の例を含み、この例によって、当業者であれば、ここに開示された特徴、機能、動作および実施形態を生成または使用可能である。当然、上述の実施形態を説明するためにコンポーネントまたは方法のすべての予測される組み合わせを記載することは不可能であるが、当業者であれば、様々な実施形態の多くのさらなる組み合わせおよび置き換えが可能であることを認識するであろう。したがって、開示された実施形態は、添付の特許請求の範囲の精神および範囲内である、すべてのこのような代替、修正および変形例を含むものとする。さらに、用語「含む」が詳細な明細書本文または特許請求の範囲の両方で使用されている範囲内では、このような用語は、「備える」が特許請求の範囲内の移行語として用いる場合、用語「備える」と同様に包括的であるとする。
【図面の簡単な説明】
【００６０】
【図１】図１は本明細書に提示されている様々な実施形態による無線通信システム１００を図解する。
【図２】図２は本明細書に提示されている様々な実施形態において利用される機能ブロックを図解する。
【図３】図３は様々な実施形態による時分割二重通信（ＴＤＤ）システムにおける調整タイミングまたはスケジューリングを図解する。
【図４】図４は様々な実施形態による周波数分割二重通信（ＦＤＤ）システムにおける調整タイミングまたはスケジューリングを図解する。
【図５】図５は様々な実施形態によるアクセスネットワークに対する周波数間ハンドオフを決定する方法を図解する。
【図６】図６は本明細書に提示されている様々な実施形態による無線通信環境において周波数間ハンドオフを実行する方法を図解する。
【図７】図７は周波数間ハンドオフメッセージのグラフ表示を図解する。
【図８】図８は本明細書に提示されている１つまたは複数の実施形態による無線通信環境において周波数間ハンドオフを利用するシステムを図解する。
【図９】図９は様々な実施形態による無線通信環境において、周波数間ハンドオフ技術を利用してシステム容量を増加するシステムを図解する。
【図１０】図１０はアクセスポイントシステムの図である。
【図１】
2009514454.tif 000003
【図２】
2009514454.tif 000004
【図３】
2009514454.tif 000005
【図４】
2009514454.tif 000006
【図５】
2009514454.tif 000007
【図６】
2009514454.tif 000008
【図７】
2009514454.tif 000009
【図８】
2009514454.tif 000010
【図９】
2009514454.tif 000011
【図１０】
2009514454.tif 000012
【国際調査報告】
2009514454.tif 000013
2009514454.tif 000014
2009514454.tif 000015
2009514454.tif 000016